【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】  軸周りに回転するとともに、洗濯物を収容し得る、穴があいたドラムを持ち、かつ回転可能なドラムの内部に水を投入することが可能な水供給口を持った洗濯機で洗濯物を濯ぎ洗いする方法において、
（ａ）  回転するドラムに対して洗濯物を動かないように保持するに十分な第１回転速度で軸周りにドラムを回転するステップと、
（ｂ）  濯ぎ洗い水が供給口から洗濯物にスプレイされるように、供給口を介して回転するドラムの内部に濯ぎ洗い水を投入するステップと、
（ｃ）  洗濯物からかなりの量の濯ぎ洗い水を抽出するに十分な第２回転速度へ、ドラムの回転速度を上昇させるステップとを有し、
前記（ｂ）段階で投入される濯ぎ洗い水量は、洗濯物を十分に水に浸すために必要な水量以下である
ことを特徴とする洗濯機で洗濯物を濯ぎ洗いする方法。
【請求項２】  前記（ａ）から（ｃ）のステップが少なくとも１回は繰り返されることを特徴とする請求項１に記載の方法。
【請求項３】  前記（ａ）から（ｃ）のステップが少なくとも４回は繰り返されることを特徴とする請求項２に記載の方法。
【請求項４】  前記（ａ）から（ｃ）のステップが少なくとも８回は繰り返されることを特徴とする請求項３に記載の方法。
【請求項５】  前記（ａ）から（ｃ）のステップが少なくとも１２回は繰り返されることを特徴とする請求項４に記載の方法。
【請求項６】  前記第１回転速度は少なくとも１００ｒｐｍであることを特徴とする請求項１〜５のいずれか１項に記載の方法。
【請求項７】  前記第１回転速度は少なくとも４００ｒｐｍであることを特徴とする請求項６に記載の方法。
【請求項８】  前記第１回転速度は少なくとも６００ｒｐｍであることを特徴とする請求項７に記載の方法。
【請求項９】  前記第２回転速度は少なくとも８００ｒｐｍであることを特徴とする請求項１〜８のいずれか１項に記載の方法。
【請求項１０】  前記第２回転速度は少なくとも１０００ｒｐｍであることを特徴とする請求項９に記載の方法。
【請求項１１】  前記第２回転速度は少なくとも１２００ｒｐｍであることを特徴とする請求項１０に記載の方法。
【請求項１２】  前記ステップ（ｂ）または各ステップ（ｂ）において洗濯物にスプレイされる濯ぎ洗いの水量は、０．７５リットル以下であることを特徴とする請求項１〜１１のいずれか１項に記載の方法。
【請求項１３】  前記ステップ（ｂ）または各ステップ（ｂ）において洗濯物にスプレイされる濯ぎ洗いの水量は、０．５リットル以下であることを特徴とする請求項１２に記載の方法。
【請求項１４】  前記ドラムは、ドラムが第１回転速度で回転する時間よりも長時間第２回転速度で回転することを特徴とする請求項１〜１３のいずれか１項に記載の方法。
【請求項１５】  前記ドラムは、ドラムが第１回転速度で回転する時間よりも少なくとも２倍の時間の間、第２回転速度で回転することを特徴とする請求項１４に記載の方法。
【請求項１６】  回転するドラムの内部に濯ぎ洗い水を投入するステップは、ドラムが第１回転速度に達する前に始まることを特徴とする請求項１〜１５のいずれか１項に記載の方法。
【請求項１７】  回転するドラムの内部に濯ぎ洗い水を投入するステップは、ドラムが第１回転速度に達した後に完了することを特徴とする請求項１６に記載の方法。
【請求項１８】  回転するドラムの内部に濯ぎ洗い水を投入するステップは、ドラムが第１回転速度に達した後に始まることを特徴とする請求項１〜１５のいずれか１項に記載の方法。
【請求項１９】  ドラムの回転速度を第２回転速度に上昇させるステップは、回転ドラムの内部に濯ぎ洗い水を投入するステップが完了した後に始まることを特徴とする請求項１〜１８のいずれか１項に記載の方法。
【請求項２０】  ステップ（ｃ）または最後のステップ（ｃ）の完了後に濯ぎ洗いステップが追加されることを特徴とする請求項１〜１９のいずれか１項に記載の方法。
【請求項２１】  軸周りに回転するとともに、洗濯物を収容し得る、穴があいたドラムを持ち、かつ回転可能なドラムの内部に水を投入することが可能な水供給口を持った洗濯機で洗濯物を濯ぎ洗いする方法において、
（ａ）  回転するドラムに対して洗濯物を動かないように保持するに十分な第１回転速度で軸周りにドラムを回転するステップと、
（ｂ）  濯ぎ洗い水が供給口から洗濯物にスプレイされるように、供給口を介してドラムの内部に濯ぎ洗い水を投入するステップと、
（ｃ）  洗濯物からかなりの量の濯ぎ洗い水を抽出するに十分な第２回転速度へ、ドラムの回転速度を上昇させるステップとを有し、
前記（ｂ）段階で投入される濯ぎ洗い水量は、洗濯機の規格の容積のｋｇあたり０．５リットル以下であることを特徴とする洗濯機で洗濯物を濯ぎ洗いする方法。
【請求項２２】  前記（ａ）から（ｃ）のステップが少なくとも１回は繰り返されることを特徴とする請求項２１に記載の方法。
【請求項２３】  前記（ａ）から（ｃ）のステップが少なくとも４回は繰り返されることを特徴とする請求項２２に記載の方法。
【請求項２４】  前記（ａ）から（ｃ）のステップが少なくとも８回は繰り返されることを特徴とする請求項２３に記載の方法。
【請求項２５】  前記（ａ）から（ｃ）のステップが少なくとも１２回は繰り返されることを特徴とする請求項２４に記載の方法。
【請求項２６】  前記第２回転速度は少なくとも８００ｒｐｍであることを特徴とする請求項２１〜２５のいずれか１項に記載の方法。
【請求項２７】  前記第２回転速度は少なくとも１０００ｒｐｍであることを特徴とする請求項２６に記載の方法。
【請求項２８】  前記第２回転速度は少なくとも１２００ｒｐｍであることを特徴とする請求項２７に記載の方法。
【請求項２９】  前記ドラムは、ドラムが第１回転速度で回転する時間よりも長時間第２回転速度で回転することを特徴とする請求項２１〜２８のいずれか１項に記載の方法。
【請求項３０】  前記ドラムは、ドラムが第１回転速度で回転する時間よりも少なくとも２倍の時間の間、第２回転速度で回転することを特徴とする請求項２９に記載の方法。
【請求項３１】  ドラムの回転速度を第２回転速度に上昇させるステップは、ドラムの内部に濯ぎ洗い水を投入するステップ完了した後に始まることを特徴とする請求項２１〜３０のいずれか１項に記載の方法。
【請求項３２】  ステップ（ｃ）または最後のステップ（ｃ）の完了後に濯ぎ洗いステップが追加されることを特徴とする請求項２１〜３０のいずれか１項に記載の方法。
【請求項３３】  前記第１回転速度は少なくとも１００ｒｐｍであることを特徴とする請求項２１〜３２のいずれか１項に記載の方法。
【請求項３４】  前記第１回転速度は少なくとも２００ｒｐｍであることを特徴とする請求項３３に記載の方法。
【請求項３５】  前記第１回転速度は少なくとも４００ｒｐｍであることを特徴とする請求項３４に記載の方法。
【請求項３６】  前記ステップ（ｂ）または各ステップ（ｂ）において洗濯物にスプレイされる濯ぎ洗いの水量は、０．７５リットル以下であることを特徴とする請求項２１〜３５のいずれか１項に記載の方法。
【請求項３７】  前記ステップ（ｂ）または各ステップ（ｂ）において洗濯物にスプレイされる濯ぎ洗いの水量は、０．５リットル以下であることを特徴とする請求項３６に記載の方法。
【請求項３８】  ドラムの内部に投入される濯ぎ洗い水量は、洗濯機の規格の容積のｋｇあたり０．２５リットル以下であることを特徴とする請求項２１〜３７のいずれか１項に記載の方法。
【請求項３９】  回転するドラムの内部に濯ぎ洗い水を投入するステップは、ドラムが第１回転速度に達する前に始まることを特徴とする請求項２１〜３８のいずれか１項に記載の方法。
【請求項４０】  回転するドラムの内部に濯ぎ洗い水を投入するステップは、ドラムが第１回転速度に達した後に完了することを特徴とする請求項３９に記載の方法。
【請求項４１】  回転するドラムの内部に濯ぎ洗い水を投入するステップは、ドラムが第１回転速度に達した後に始まることを特徴とする請求項２１〜３８のいずれか１項に記載の方法。
【請求項４２】  前記第１回転速度は、供給口を介してドラムの内部に濯ぎ水を投入するステップの間、一定であることを特徴とする請求項１〜４１のいずれか１項に記載の方法。
【請求項４３】  前記第１回転速度は、供給口を介してドラムの内部に濯ぎ水を投入するステップの間、下降することを特徴とする請求項１〜４１のいずれか１項に記載の方法。
【請求項４４】  前記第１回転速度は、供給口を介してドラムの内部に濯ぎ水を投入するステップの間、上昇することを特徴とする請求項１〜４１のいずれか１項に記載の方法。
【請求項４５】  請求項１〜４４のいずれか１項による方法を実施するように適用され構成された洗濯機。
【請求項４６】  前記軸は、実質的に水平であることを特徴とする請求項４５に記載の方法。
【請求項４７】  前記洗濯機は、１０ｋｇ以下の規格の容積を持っていることを特徴とする請求項４５または４６に記載の方法。
【請求項４８】  前記洗濯機の規格の容積は、３〜７ｋｇ以下であることを特徴とする請求項４７に記載の方法。
【請求項４９】  前記洗濯機の規格の容積は、実質的に４ｋｇであることを特徴とする請求項４８に記載の方法。